(57)【要約】【課題】  携帯端末装置等に使用する各構成部品と基板との、より安定した接続の可能なスプリングコネクタを提供する。【解決手段】  対向する導電端子同士を接続するために使用されるスプリングコネクタ１００であって、長手方向一端に開口部１０４を有する導電性筒体１０６と、この導電性筒体内にて摺動可能に配置され、開口部に対して突没可能な導電性ピン１０２と、導電性筒体内に配置され、導電性ピンの先端を開口部から突出付勢する第１の弾性体１１６と、長手方向一端に開口部１０８を有し、この開口部から導電性筒体を突没させる外部筒体１１２と、外部筒体内に配置され、導電性筒体を開口部から突出付勢し、かつ第１の弾性体より弾性度の大きい第２の弾性体１１８と、外部筒体に対する導電性筒体の長手方向の摺動動作を係止する係止手段と、を備えることを特徴とする。【選択図】      図２
2005251442.tif 000002
【特許請求の範囲】
【請求項１】
対向する導電端子同士を接続するために使用されるスプリングコネクタであって、
長手方向一端に開口部を有する導電性筒体と、
前記導電性筒体内にて摺動可能に配置され、前記開口部に対して突没可能な導電性ピンと、
前記導電性筒体内に配置され、前記導電性ピンの先端を前記開口部から突出付勢する第１の弾性体と、
長手方向一端に開口部を有し、該開口部から前記導電性筒体を突没させる外部筒体と、
前記外部筒体内に配置され、前記導電性筒体を前記開口部から突出付勢し、かつ前記第１の弾性体より弾性度の大きい第２の弾性体と、
前記外部筒体に対する前記導電性筒体の長手方向の摺動動作を係止する係止手段と、を備えることを特徴とする、スプリングコネクタ。
【請求項２】
前記係止手段は、
前記外部筒体の内側側面に形成された係止凸部と、
前記導電性筒体の側面に形成され、前記係止凸部と摺動可能に噛合する溝部と、
前記溝部の端部に設けられ、前記係止凸部と嵌合する係止凹部と、
から構成されることを特徴とする、請求項１に記載のスプリングコネクタ。
【請求項３】
前記溝部は、前記導電性筒体の長手方向に対して、少なくとも１つの段差を有することを特徴とする、請求項２に記載のスプリングコネクタ。
【請求項４】
前記外部筐体は、非導電性の材質で形成され、前記導電性筒体の外周面と接する部分に少なくとも１つの導電性の端子部が設けられていることを特徴とする、請求項１に記載のスプリングコネクタ。
【請求項５】
前記外部筐体は、導電性の材質で形成されていることを特徴とする、請求項１に記載のスプリングコネクタ。
【発明の詳細な説明】
【技術分野】
【０００１】
本発明は、スプリングコネクタに関し、特に携帯端末装置等に使用する各構成部品とプリント配線基板（Ｐｒｉｎｔｅｄ  Ｗｉｒｅｄ  Ｂｏａｒｄ；以下ＰＷＢ、または基板と称する。）との接続に用いられるスプリングコネクタの構成に関する。
【背景技術】
【０００２】
ビデオカメラや電話装置等には、半導体等の電子部品を組み込んだ複数枚の基板が実装されている。これらの基板は、通常、互いに重ね合わされたり、または、並設されたりして所定の場所に収められている。これら多重基板同士の接続は、従来では、電線によって行なわれている。このため、基板同士の接続には、多数の電線が必要になると共にこの電線を収納するための大きなスペースが必要であった。
【０００３】
そこで、基板接続用にスプリングコネクタを導電性金属等の切削加工によって形成して、このスプリングコネクタで多重基板の基板同士を接続すれば、従来のような電線およびそれらを収納する大きなスペースが不要となる。
【０００４】
しかしながら、近年では、広く普及している携帯端末装置は、常に持ち運ばれるため、様々な環境下での使用と、携帯されるが故に構成部品間の接続信頼性が常に考慮されなければならない。
【０００５】
このため、構成部品間の接点の接触不良を有効に防止することができるスプリングコネクタとして、円筒状の収容部を有するコネクタケースと、この収容部内に軸方向にスライド自在に保持され、先端部が所定の接触部材に接触するピンと、コネクタケースの収容部内に配置され、ピンをその接触端が開口部より突出する方向に付勢する圧縮コイルスプリングとを有し、コネクタケースの収容部内に設けられ、ピンの軸方向のスライドに応じて、ピンを軸回り方向に変位させる回転ガイド手段を具備するスプリングピンコネクタが開示されている（例えば、特許文献１参照）。このスプリングコネクタによると、ピンが収容部に対して軸方向にスライドした場合、上記の回転ガイド手段により、ピンが螺旋状に回転変位し、接触点の摺接による摩擦によりゴミや汚れが拭われ、良好な接触状態を維持できる。
【０００６】
また、接触抵抗値の安定したスプリングコネクタとして、導通性の金属中実丸棒からなり一端を軸方向に第１の内径及び第２の内径を有する孔部が形成され、他端には段差を有した固定端子を形成した導通ピンと、導通接触ピン第１の内径より若干小さい外径を有し、その一端が外径より小径の突出部が軸方向に形成された導通可動端子と、導通接触ピン内部に収納され、導通可動端子を押圧するコイルスプリングから構成され、導通ピン第１の内径を有する孔部にバネ性を有する接触フィンを導通接触ピンと一体に形成したスプリングコネクタが開示されている（例えば、特許文献２参照）。このスプリングコネクタによると、導通接触ピンに外力が加わった際にも、安定した接触抵抗値を供給する効果がある。
【０００７】
【特許文献１】特開平１１−３０７１６１号
【特許文献２】特開平０７−２８２８８１号
【発明の開示】
【発明が解決しようとする課題】
【０００８】
しかしながら、上述したように、携帯端末装置は、広く普及されるが故に、頻繁に持ち運ばれ、様々な環境下での使用されることより、構成部品間の接続信頼性がより考慮される傾向にある。このため、上記各特許文献に開示されているスプリングコネクタよりも、各構成部品と基板との接触点に有するゴミ等をより確実に除去し、かつ電気的及び構造的にも安定した接続の可能なスプリングコネクタの要請がある。
【０００９】
そこで、本発明は、従来のスプリングコネクタが有する上記問題点に鑑みてなされたものであり、本発明の目的は、携帯端末装置等に使用する各構成部品と基板との、より安定した接続の可能な，新規かつ改良されたスプリングコネクタを提供することである。
【課題を解決するための手段】
【００１０】
上記課題を解決するために、本発明のある観点によれば、対向する導電端子同士を接続するために使用されるスプリングコネクタであって、長手方向一端に開口部を有する導電性筒体と、この導電性筒体内にて摺動可能に配置され、開口部に対して突没可能な導電性ピンと、導電性筒体内に配置され、導電性ピンの先端を開口部から突出付勢する第１の弾性体と、長手方向一端に開口部を有し、この開口部から導電性筒体を突没させる外部筒体と、外部筒体内に配置され、導電性筒体を開口部から突出付勢し、かつ第１の弾性体より弾性度の大きい第２の弾性体と、外部筒体に対する導電性筒体の長手方向の摺動動作を係止する係止手段と、を備えることを特徴とする、スプリングコネクタが提供される。
【００１１】
このとき、係止手段は、外部筒体の内側側面に形成された係止凸部と、導電性筒体の側面に形成され、係止凸部と摺動可能に噛合する溝部と、溝部の端部に設けられ、係止凸部と嵌合する係止凹部と、から構成されることとしてもよい。
【００１２】
このような構成とすることにより、外部筒体に対する導電性筒体の長手方向の摺動動作が係止されるまで、弾性度の大きい第２の弾性体による弾性力により各構成部品と基板との接触点に付着するゴミ等をより確実に除去できる。また、係止手段により外部筒体に対する導電性筒体の長手方向の摺動動作を係止することにより、第１の弾性体による弾性力により安定した接触圧を得ることができるので、各構成部品と基板との接続がより安定したものとなる。
【００１３】
また、このとき、溝部は、導電性筒体の長手方向に対して、少なくとも１つの段差を有することとしてもよい。
【００１４】
このような構成とすることにより、外部筒体に対する導電性筒体の長手方向の摺動動作の際に、外部筒体に対して導電性筒体が逆回転方向に摺動されることを防止できる。
【００１５】
また、このとき、外部筐体は、非導電性の材質で形成され、導電性筒体の外周面と接する部分に少なくとも１つの導電性の端子部が設けられている構成とするか、導電性の材質で形成されていることとしてもよい。
【００１６】
このような構成とすることにより、スプリングコネクタの小型化が可能になる。
【発明の効果】
【００１７】
以上説明したように本発明によれば、弾性度の異なる２つのスプリングを用いた２重のスプリング構造をとることにより、接続時の接圧を上げ、かつ弾性度の大きい方のスプリング側にロック機能を持たせることにより、携帯端末装置等に使用する各構成部品と基板と接続をより安定させることが可能となる。このため、携帯端末装置の品質・信頼性の向上に繋げることができる。また、ロック機能を備えることにより、安定接続の確認が可能となる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
（第１実施形態）
まず、本発明の第１実施形態におけるスプリングコネクタの構成について図面を使用しながら説明する。図１は、本発明の第１実施形態におけるスプリングコネクタ１００の外観側面図である。また、図２は、本実施形態のスプリングコネクタ１００の部分断面図であり、（ａ）は、外部筒体であるモールドに対して導電性筒体であるハウジングが摺動可能な状態における部分断面図であり、（ｂ）は、外部筒体であるモールドに対して導電性筒体であるハウジングが係止手段によってロックされている状態における部分断面図である。
【００２０】
本実施形態のスプリングコネクタ１００は、図１に示すように、ＰＷＢ等の基板に接続される金属等で形成される導電性ピンであるコンタクト部１０２と、長手方向一端に開口部１０４を有し、この開口部１０４からコンタクト部１０２を突没させる金属等で形成される導電性筒体であるハウジング１０６と、長手方向一端に開口部１０８を有し、この開口部１０８からコンタクト部１０２及びハウジング１０６から構成されるコネクタ部１１０を突没させる非導電性の材質から形成される外部筒体であるモールド１１２を具備する。
【００２１】
このモールド１１２内には、ハウジング１０６に接する金属等の導電性材質で形成される端子部１１４がモールド１１２の内部を貫通して設けられている。この端子部１１４の一端がモールド１１２内でコンタクト部１０２及びハウジング１０６から構成されるコネクタ部１１０と接して、他端がＰＷＢ等に接することで、スプリングコネクタ１００を介して対向する導電端子同士が電気的に接続される。
【００２２】
コンタクト部１０２の基端側は、図２に示すように、ハウジング１０６内部において、第１の弾性体であるスプリング１１６を介してハウジング１０６の基端部（図示せず。）と接続されている。このような構成とすることにより、コンタクト部１０２がハウジング１０６内でハウジング１０６の長手方向に摺動可能となり、ハウジング１０６の開口部１０４に対して突没できるようになっている。
【００２３】
また、ハウジング１０６の基端側は、図２に示すように、モールド１１２内部において、スプリング１１６より弾性度の大きい第２の弾性体であるロックバネ１１８を介して、モールド１１２の基端側に有する底部１１２ｂと接続されている。このような構成とすることにより、ハウジング１０６がモールド１１２内でモールド１１２の長手方向に摺動可能となり、モールド１１２の開口部１０８に対して突没できるようになっている。
【００２４】
さらに、本実施形態では、モールド１１２に対するハウジング１０６の長手方向の摺動動作をロックする係止手段として、金属等で形成され、モールド１１２の内側側面に配設された係止凸部となる爪部１２０と、ハウジング１０６の側面に形成され、爪部１２０と摺動可能に噛合する溝部１２２と、溝部１２２の端部に設けられ、爪部１２０と嵌合する係止凹部となるストッパ部１２４が備わる。なお、これら係止手段の構成の詳細については、後述する。
【００２５】
また、前述したように、金属等の導電性材質で形成される端子部１１４は、その一部がハウジング１０６に接し、他端がＰＷＢ等に接するようにして、モールド１１２の内部を貫通して設けられている。
【００２６】
本実施形態のスプリングコネクタ１００は、上述したような構成とすることにより、係止手段にロックされるまでは、図２（ａ）に示すように、コンタクト部１０２及びハウジング１０６から構成されるコネクタ部１１０がモールド１１２に対して長手方向に摺動自在となる。ハウジング１０６がモールド１１２の長手方向に摺動しながら、モールド１１２の内側に設けた爪部１２０がハウジング１０６の側面に形成された溝部１２２と噛合しながら摺動される。このため、本実施形態では、ハウジング１０６がモールド１１２の底部１１２ｂの方向に摺動されると、ハウジング１０６は、左回りに回転する。
【００２７】
そして、係止手段となる溝部１２２の端部に形成されたストッパ部１２４に爪部１２０が入りこむと、図２（ｂ）に示すように、モールド１１２に対してコネクタ部１１０がロックされた状態になる。ハウジング１０６がモールド１１２に対してロックされて以降は、ロックバネ１１８より弾性度の小さいスプリング１１６の弾性力により、ハウジング１０６に対して、コンタクト部１０２が摺動され、ハウジング１０６の開口部１０４に対して突没される。このため、携帯端末装置等に使用する各構成部品と基板と接続を電気的及び構造的にも安定した接続が可能となる。
【００２８】
次に、本実施形態のスプリングコネクタ１００に配設されるロック機能を有する係止手段の詳細について、図面を使用しながら説明する。図３は、本実施形態のスプリングコネクタ１００に備わる係止手段の拡大図であり、（ａ）は、ハウジング１０６に形成された溝部１２２及びストッパ部１２４の拡大図であり、（ｂ）は、モールド１１２の内周面に設けられた爪部１２０の拡大図である。
【００２９】
本実施形態の係止手段の構成要素である係止凸部となる爪部１２０は、図３（ｂ）に示すように、金属で形成された略円形の爪部本体１２０ｂが爪部接続部１２０ａを介してモールド１１２の内側側面に配設される。
【００３０】
また、ハウジング１０６の側面には、図３（ａ）に示すように、モールド１１２の内周面に設けられた爪部１２０が噛合するための溝部１２２が設けられている。溝部１２２は、ハウジング１０６の側面に、ハウジング１０６の長手方向に対して斜方向に形成されている。本実施形態では、モールド１１２に対してハウジング１０６が長手方向に摺動可能なフリーポジションと、モールド１１２に対してハウジング１０６が係止されるロックポジションとなる位置にそれぞれ袋形状のストッパ部１２４ｆ、１２４ｒを設けるために、溝部１２２には、ハウジング１０６の長手方向に対して段差１２６を設けている。なお、ハウジング１０６の先端側に位置するのがロックポジションとなるストッパ部１２４ｒであり、ハウジング１０６の基端側に位置するのがフリーポジションとなるストッパ部１２４ｆである。
【００３１】
そして、モールド１１２に対してハウジング１０６が係止されるロックポジションを維持するためのストッパ部１２４ｒに爪部１２０の本体部１２０ｂが入りこんでロックされた状態になる。また、ハウジング１０６の長手方向に対して設けた段差１２６は、本実施形態では、溝部１２２に噛合する爪部１２０の逆側方向の回転を防止する役割も果たす。
【００３２】
次に、本実施形態のスプリングコネクタ１００の動作について図面を使用しながら説明する。
【００３３】
コンタクト部１０２は、上述したように、スプリング１１６の伸縮作用によりハウジング１０６の開口部１０４から突没可能となっている。また、コンタクト部１０２は、スプリング１１６を介してハウジング１０６に構造的に接続される。さらに、コンタクト部１０２は、スプリング１１６を介してか、または直接に開口部１０４に接することによりハウジング１０６に電気的に接続される。
【００３４】
一方、コンタクト部１０２とハウジング１０６とスプリング１１６から構成されるコネクタ部１１０は、ハウジング１０６内に形成されている端子部１１４に接しながらロックバネ１１８の伸縮作用によりモールド１１２の開口部１０８から突没可能となっている。
【００３５】
そして、ハウジング１０６の側面に設けられた段差１２６を有する溝部１２２に噛合した状態で摺動する爪部１２０のポジション移動により、プッシュ式でコネクタ部１１０のモールド１１２に対する伸縮の固定と解除が繰り返し可能な形状になっている。すなわち、モールド１１２に対してコネクタ部１１０を構成するハウジング１０６がモールド１１２の長手方向に対して摺動すると共に、爪部１２０が溝部１２２に嵌って摺動しながらハウジング１０６が軸方向に対して回転して、爪部本体１２０ｂが２箇所設けた袋形状であるストップ部１２４ｆ、１２４ｒを出入りする。
【００３６】
また、スプリング１１６は、コネクタ部１１０がモールド１１２に対してロック状態であっても伸縮可能である。このため、コネクタ部１１０がモールド１１２に対してロックされて以降も、携帯端末装置等に使用する各構成部品と基板と接続を電気的及び構造的に安定した接続ができる。
【００３７】
さらに、本実施形態では、ロックバネ１１８の弾性度は、バネ径を大きくしたり、線径を太くしたり等して、スプリング１１６よりも弾性度を大きくし、僅かな荷重でモールド１１２に対するコネクタ部１１０のロックが外れない様に設定されている。このことを以下で図面を参照しながら説明する。
【００３８】
図４は、コネクタ部１１０のコンタクト部１０２に掛かる荷重とコンタクト部１０２の軸方向のストロークの関係を示すグラフであり、コンタクト部１０２の荷重−ストローク特性を示す。なお、本図において縦軸の単位は、Ｎ（ニュートン）であり、横軸の単位は、ｍ（メートル）である。
【００３９】
スプリング１１６とロックバネ１１８に荷重が加えられて押しこまれたコネクタ部１１０は、モールド１１２に対してロックされるまでは、スプリング１１６より弾性度の大きいロックバネ１１８に抗う大きな圧力をコンタクト部１０２に付加可能である。このため、コンタクト部１０２に加わる大きな圧力によって、接続対象となる導電端子の接触面に付着したゴミ等の異物や皮膜を取り除く（ワイピング）ことができる。
【００４０】
その後、コンタクト部１０２のストロークがコネクタ部１１０のロックされる位置、例えばＣ（ｍ）に達すると、ロックされた位置Ｃからコンタクト部１０２のワーキングポジションとなり、スプリング１１６の荷重のみで通常のバネ接続が可能となる。このため、コネクタ部１１０がモールド１１２に対してロックされて以降も、携帯端末装置等に使用する各構成部品と基板と接続を電気的及び構造的に安定した接続ができる。
【００４１】
（第２実施形態）
次に、本発明の第２実施形態におけるスプリングコネクタの構成について図面を使用しながら説明する。図５は、本発明の第２実施形態におけるスプリングコネクタ２００の外観正面図であり、図６は、本実施形態のスプリングコネクタ２００の部分断面図であり、（ａ）は、外部筒体であるモールドに対して導電性筒体であるハウジングが摺動可能な状態における部分断面図であり、（ｂ）は、外部筒体であるモールドに対して導電性筒体であるハウジングが係止手段によってロックされている状態における部分断面図である。
【００４２】
本実施形態のスプリングコネクタ２００は、図５に示すように、ＰＷＢ等の基板に接続される金属等で形成される導電性ピンであるコンタクト部２０２と、長手方向一端に開口部２０４を有し、この開口部２０４からコンタクト部２０２を突没させる金属等で形成される導電性筒体であるハウジング２０６と、長手方向一端に開口部２０８を有し、この開口部２０８からコンタクト部２０２及びハウジング２０６から構成されるコネクタ部２１０を突没させる金属等の導電性の材質から形成される外部筒体である金属フレーム２１２を具備する。すなわち、本実施形態では、第１実施形態と異なり、外部筒体が導電性を有する金属から形成されている。
【００４３】
このため、本実施形態の外部筒体である金属フレーム２１２は、第１実施形態におけるＰＷＢとの接続用の端子部１１４の機能も含む構成となる。換言すると、金属フレーム２１２は、ハウジング２０６に接し、かつＰＷＢと接続するための端子部１１４の機能も含むため、スプリングコネクタ２００の構成要素の部品点数を減らし、かつ小型化を可能にしている。
【００４４】
図６に示すように、コンタクト部２０２の基端側は、第１実施形態と同様に、ハウジング２０６内部において、第１の弾性体であるスプリング２１６を介してハウジング２０６の基端部（図示せず。）と接続されている。このような構成とすることにより、コンタクト部２０２がハウジング２０６内でハウジング２０６の長手方向に摺動可能となり、ハウジング２０６の開口部２０４に対して突没できるようになっている。
【００４５】
また、ハウジング２０６の基端側は、図６に示すように、金属フレーム２１２内部において、スプリング２１６より弾性度の大きい第２の弾性体であるロックバネ２１８を介して、金属フレーム２１２の基端側に有する底部２１２ｂと接続されている。このような構成とすることにより、ハウジング２０６が金属フレーム２１２内で金属フレーム２１２の長手方向に摺動可能となり、金属フレーム２１２の開口部２０８に対して突没できるようになっている。
【００４６】
さらに、本実施形態では、第１実施形態と同様に、金属フレーム２１２に対するハウジング２０６の長手方向の摺動動作をロックする係止手段として、金属等で形成され、金属フレーム２１２の内側側面に配設された係止凸部となる爪部２２０と、ハウジング２０６の側面に形成され、爪部２２０と摺動可能に噛合する溝部２２２と、溝部２２２の端部に設けられ、爪部２２０と嵌合する係止凹部となるストッパ部２２４が備わる。なお、これら係止手段の構成は、第１実施形態と同様なので、その説明は、省略する。
【００４７】
本実施形態のスプリングコネクタ２００は、上述したような構成とすることにより、係止手段にロックされるまでは、図６（ａ）に示すように、コンタクト部２０２及びハウジング２０６から構成されるコネクタ部２１０が金属フレーム２１２に対して長手方向に摺動自在となる。ハウジング２０６が金属フレーム２１２の長手方向に摺動しながら、金属フレーム２１２の内側に設けた爪部２２０がハウジング２０６の側面に形成された溝部２２２と噛合しながら摺動される。このため、本実施形態では、第１実施形態と同様に、ハウジング２０６が金属フレーム２１２の底部２１２ｂの方向に摺動されると、ハウジング２０６は、左回りに回転する。
【００４８】
そして、係止手段となる溝部２２２の端部に形成されたストッパ部２２４に爪部２２０が入りこむと、図６（ｂ）に示すように、金属フレーム２１２に対してコネクタ部２１０がロックされた状態になる。ハウジング２０６が金属フレーム２１２に対してロックされて以降は、ロックバネ２１８より弾性度の小さいスプリング２１６の弾性力により、ハウジング２０６に対して、コンタクト部２０２が摺動され、ハウジング２０６の開口部２０４に対して突没される。このため、携帯端末装置等に使用する各構成部品と基板と接続を電気的及び構造的にも安定した接続が可能となる。
【００４９】
なお、本実施形態のスプリングコネクタ２００の動作については、第１実施形態と同様であるので、その説明は、省略する。
【００５０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５１】
例えば、上記の各実施形態では、第１の弾性体、及び第２の弾性体として、それぞれバネを使用しているが、これら弾性体は、ゴム等の他の材質、形状の弾性体であっても、第１の弾性体より第２の弾性体の方が弾性度が大きいという条件を満たしていれば、代用可能である。
【産業上の利用可能性】
【００５２】
本発明は、対向する導電端子同士を接続するために使用されるスプリングコネクタに適用可能であり，特に携帯端末装置等に使用する各構成部品と基板との接続に使用されるスプリングコネクタに適用可能である。
【図面の簡単な説明】
【００５３】
【図１】本発明の第１実施形態におけるスプリングコネクタの外観側面図である。
【図２】同実施形態のスプリングコネクタの部分断面図であり、（ａ）は、外部筒体であるモールドに対して導電性筒体であるハウジングが摺動可能な状態における部分断面図であり、（ｂ）は、外部筒体であるモールドに対して導電性筒体であるハウジングが係止手段によってロックされている状態における部分断面図である。
【図３】同実施形態のスプリングコネクタに備わる係止手段の拡大図であり、（ａ）は、ハウジングに形成された溝部及びストッパ部の拡大図であり、（ｂ）は、モールドの内周面に設けられた爪部の拡大図である。
【図４】同実施形態におけるコネクタ部のコンタクト部に掛かる荷重とコンタクト部の軸方向のストロークの関係を示すグラフである。
【図５】本発明の第２実施形態におけるスプリングコネクタの外観正面図である。
【図６】同実施形態のスプリングコネクタの部分断面図であり、（ａ）は、外部筒体であるモールドに対して導電性筒体であるハウジングが摺動可能な状態における部分断面図であり、（ｂ）は、外部筒体であるモールドに対して導電性筒体であるハウジングが係止手段によってロックされている状態における部分断面図である。
【符号の説明】
【００５４】
１００    スプリングコネクタ
１０２    コンタクト部
１０４    （ハウジングの）開口部
１０６    ハウジング
１０８    （モールドの）開口部
１１０    コネクタ部
１１２    モールド
１１２ｂ    底部
１１４    端子部
１１６    スプリング
１１８    ロックバネ
１２０    爪部
１２２    溝部
１２４    ストッパ部
１２６    段差
【図１】
2005251442.tif 000003
【図２】
2005251442.tif 000004
【図３】
2005251442.tif 000005
【図４】
2005251442.tif 000006
【図５】
2005251442.tif 000007
【図６】
2005251442.tif 000008